(57)【要約】【課題】  高輝度化を図り、かつ発光時間を延ばすことができる指針およびそれを備えた時計を提供する．【解決手段】  針本体７に当該針本体７の厚みＴよりも厚く形成された第１厚み部１０と、この第１厚み部１０にその表裏に貫通して設けられた収容部１４と、この収容部１４に設けられた蓄光材１５と、を備えている。従って、収容部１４を針本体７の厚みＴよりも深く形成して容積を大きく形成することができるので、この収容部１４内に蓄光材１５を厚く形成することができると共に、体積を大きく形成することができる。このため、蓄光材１５の高輝度化を図ることができると共に、蓄光材１５の発光時間を延ばすことができる。【選択図】        図３
2019045348.tif 000002
【特許請求の範囲】
【請求項１】
針本体に当該針本体の厚みよりも厚く形成された厚み部と、
前記厚み部にその表裏に貫通して設けられた収容部と、
前記収容部に設けられた蓄光材と、
を備えていることを特徴とする指針。
【請求項２】
請求項１に記載の指針において、前記厚み部は、前記針本体の表面に突出する凸部と、前記凸部に対応する前記針本体の裏面に設けられた凹部と、を備えており、
前記収容部は、前記凸部に設けられた開口部と前記凹部とによって前記厚み部の表裏面に貫通して設けられていることを特徴とする指針。
【請求項３】
請求項１または請求項２に記載の指針において、前記厚み部は、前記針本体を厚み方向に半分打ち抜く半抜き加工によって形成されていることを特徴とする指針。
【請求項４】
請求項１〜請求項３のいずれかに記載の指針において、前記厚み部は、前記針本体の複数箇所に設けられていることを特徴とする指針。
【請求項５】
請求項１〜請求項４のいずれかに記載の指針において、前記複数の厚み部は、その表面に表面処理が施されていることを特徴とする指針。
【請求項６】
請求項１〜請求項５のいずれかに記載された指針を備えていることを特徴とする時計。
【発明の詳細な説明】
【技術分野】
【０００１】
この発明は、腕時計やメータなどの計器類に用いられる指針およびそれを備えた時計に関する。
【背景技術】
【０００２】
例えば、腕時計の指針においては、特許文献１に記載されているように、針本体に開口部を設け、この開口部に蓄光材を設け、針本体および蓄光材の上面に光透過性を有する金属薄膜を設け、蓄光材が暗い所で発光した際に、発光した光が金属薄膜を通して上方に放出される構造のものが知られている。
【先行技術文献】
【特許文献】
【０００３】
【特許文献１】特開２００２−１６８９７１号公報
【発明の概要】
【発明が解決しようとする課題】
【０００４】
しかしながら、このような腕時計の指針では、蓄光材の厚みが針本体の厚みと同じ厚みであるから、蓄光材の体積を十分に確保することができない。このため、このような蓄光材では、十分な発光輝度が得られないばかりか、発光時間が短く、十分な発光時間が得られないという問題がある。
【０００５】
この発明が解決しようとする課題は、高輝度化を図り、かつ発光時間を延ばすことができる指針およびそれを備えた時計を提供することである。
【課題を解決するための手段】
【０００６】
この発明は、針本体に当該針本体の厚みよりも厚く形成された厚み部と、前記厚み部にその表裏に貫通して設けられた収容部と、前記収容部に設けられた蓄光材と、を備えていることを特徴とする指針である。
【発明の効果】
【０００７】
この発明によれば、蓄光材の厚みを厚くして蓄光材の体積を十分に確保することができるので、蓄光材の高輝度化を図ることができると共に、蓄光材の発光時間を延ばすことができる。
【図面の簡単な説明】
【０００８】
【図１】この発明を腕時計に適用した一実施形態における時計モジュールを示した要部の拡大断面図である。
【図２】図１に示された時計モジュールの指針を示した拡大平面図である。
【図３】図２に示された指針のＡ−Ａ矢視における拡大断面図である。
【発明を実施するための形態】
【０００９】
以下、図１〜図３を参照して、この発明を腕時計に適用した一実施形態について説明する。
この腕時計は、図１に示すように、時計モジュール１を備えている。この時計モジュール１は、腕時計ケース（図示せず）の内部に組み込まれるものであり、ハウジング２を備えている。このハウジング２の上面には、文字板３が配置されており、このハウジング２の内部には、時計ムーブメント４が設けられている。
【００１０】
この時計ムーブメント４は、図１に示すように、文字板３の貫通孔３ａを通して文字板３の上方に突出する指針軸５を備え、この指針軸５の上端部に指針６が取り付けられるように構成されている。これにより、時計ムーブメント４は、指針軸５を回転させて、指針６を文字板３の上方で運針させることにより、時刻を指示するように構成されている。
【００１１】
指針６は、図１〜図３に示すように、針本体７を備えている。この針本体７は、ハカマと称する針取付部８と複数の厚み部１０〜１２とを備え、針取付部８が指針軸５の上端部に取り付けられるように構成されている。この場合、針本体７は、アルミニウムや真鍮などの金属によって、細長い形状に形成されている。
【００１２】
すなわち、この針本体７は、図２および図３に示すように、一端部である先端部７ａ（図２では右端部）が先細に形成され、他端部７ｂ側（図２では左端部側）が幅広に形成されている。針取付部８は、針本体７の回転中心であり、針本体７の長手方向における中間部よりも他端部７ｂ側に偏った位置に、針本体７の表裏面に貫通して設けられた円形状の取付孔８ａを備えている。
【００１３】
複数の厚み部１０〜１２は、図２および図３に示すように、針本体７の先端部７ａ側に位置する針本体７の箇所に針本体７の長手方向に沿って設けられた第１厚み部１０と、この第１厚み部１０と針取付部８との間に位置する針本体７の箇所に針本体７の長手方向に沿って設けられた第２厚み部１１と、針取付部８と針本体７の他端部７ｂとの間に位置する針本体７の箇所に針本体７の長手方向に沿って設けられた第３厚み部１２と、を備えている。
【００１４】
第１厚み部１０は、図２および図３に示すように、針本体７の先端部７ａ側に位置する箇所にエンボス加工によって針本体７の表面（図３では上面）に突出して設けられている。すなわち、この第１厚み部１０は、エンボス加工によって針本体７の表面に突出する凸部１０ａと、針本体７の裏面側（図３では下面側）に開放された凹部１０ｂと、を備え、これらが針本体７の長手方向に沿って長い長方形状に形成されている。
【００１５】
この第１厚み部１０は、図２および図３に示すように、凸部１０ａの外周が凹部１０ｂの内周よりも少し大きく形成されている。この場合、凹部１０ｂは、その深さが針本体７の厚みＴとほぼ同じ大きさに形成されている。また、凸部１０ａは、その厚みｔが針本体７の厚みＴよりも薄く（ｔ＜Ｔ）、かつ針本体７の厚みＴの半分程度の厚み（約1/2Ｔ）の厚み（ｔ≒1/2Ｔ）で形成されている。
【００１６】
この第１厚み部１０の凸部１０ａには、図２および図３に示すように、凹部１０ｂの内形よりも少し小さい長方形状の開口部１３が凸部１０ａの表面から凹部１０ｂに貫通して設けられている。これにより、第１厚み部１０には、凸部１０ａの開口部１３と凹部１０ｂとによって、第１厚み部１０の表裏面に貫通する収容部１４が設けられている。
【００１７】
この収容部１４は、図２および図３に示すように、その深さが針本体７の厚みＴと凸部１０ａの厚みｔとの両方の厚みと同じ大きさ（Ｔ＋ｔ≒3/2Ｔ）で形成されている。また、この収容部１４は、針本体７に設けられた長方形状の凹部１０ｂと、この凹部１０ｂに対する凸部１０ａに設けられた長方形状の開口部１３とによって、容積が大きく形成されている。
【００１８】
この第１厚み部１０の収容部１４内には、図２および図３に示すように、光に反応して発光する蓄光材１５が設けられている。この蓄光材１５は、外部光を光エネルギーとして蓄え、この蓄えた光エネルギーによって暗い所で発光するものであり、凸部１０ａの開口部１３と凹部１０ｂとによって針本体７の表裏面に貫通して設けられた収容部１４内に、十分な厚みで、かつ十分な容量をもって埋め込まれている。
【００１９】
すなわち、収容部１４は、図２および図３に示すように、その深さが針本体７の厚みよりも深く、かつ容積が大きく形成されている。このため、この収容部１４に埋め込まれた蓄光材１５は、その厚みが針本体７の厚みＴよりも厚く形成され、かつ針本体７の長手方向に長く形成されていることにより、体積が大きく形成されている。これにより、蓄光材１５は、収容部１４の内部で発光した際に、その輝度が十分に高くなり、かつ発光時間が長くなるように構成されている。
【００２０】
これにより、蓄光材１５は、図２および図３に示すように、針本体７の表面側および裏面側から外部光が入射することにより、外部光を光エネルギーとして十分に蓄えられるように構成されている。また、この蓄光材１５は、蓄えた光エネルギーによって暗い所で高い輝度で発光し、この発光した光が針本体７の表面側および裏面側から放出されることにより、文字板３の上面側を照明するように構成されている。
【００２１】
この場合、蓄光材１５は、図３に示すように、その表面が第１厚み部１０の凸部１０ａの表面と同一平面で、裏面が針本体７の裏面よりも少し窪んだ状態で設けられているが、針本体７の裏面と同一平面で設けても良い。すなわち、この蓄光材１５は、裏面が針本体７の裏面よりも少し窪んだ状態で設けることにより、針本体７の重量バランスを調整する。また、この蓄光材１５の裏面が針本体７の裏面と同一平面に設けることにより、蓄光材１５の厚みを厚くして体積を大きくする。
【００２２】
一方、第２厚み部１１は、図２および図３に示すように、針本体７の先端部７ａ側に位置する第１厚み部１０と針取付部８との間に位置する針本体７の箇所に、エンボス加工によって針本体７の表面（図３では上面）に突出して設けられている。すなわち、この第２厚み部１１は、エンボス加工によって針本体７の表面に突出する凸部１１ａと、針本体７の裏面側（図３では下面側）に開放された凹部１１ｂと、を備え、これらが針本体７の長手方向に沿って長い長方形状に形成されている。
【００２３】
この第２厚み部１１は、図２および図３に示すように、第１厚み部１０と同様、凸部１１ａの外周が凹部１１ｂの内周よりも少し大きく形成されている。この場合、凹部１１ｂは、その深さが針本体７の厚みＴとほぼ同じ大きさに形成されている。また、凸部１１ａは、その厚みｔが針本体７の厚みＴよりも薄く、かつ針本体７の厚みＴの半分程度の厚み（約1/2Ｔ）の厚み（ｔ≒1/2Ｔ）で、第１厚み部１０とほぼ同じ大きさに形成されている。
【００２４】
また、第３厚み部１２は、図２および図３に示すように、針取付部８と針本体７の他端部７ｂとの間に位置する針本体７の箇所に、エンボス加工によって針本体７の表面（図３では上面）に突出して設けられている。すなわち、この第３厚み部１２は、エンボス加工によって針本体７の表面に突出する凸部１２ａと、針本体７の裏面側（図３では下面側）に開放された凹部１２ｂと、を備え、これらが針本体７の長手方向に沿って長い長方形状に形成されている。
【００２５】
この第３厚み部１２は、図２および図３に示すように、第１、第２厚み部１０、１１と同様、凸部１２ａの外周が凹部１２ｂの内周よりも少し大きく形成されている。この場合、凹部１２ｂは、その深さが針本体７の厚みＴとほぼ同じ大きさに形成されている。また、凸部１２ａは、その厚みｔが針本体７の厚みＴよりも薄く、かつ針本体７の厚みＴの半分程度の厚み（約1/2Ｔ）の厚み（ｔ≒1/2Ｔ）で、第１、第２厚み部１０、１１よりも幅広に形成されている。
【００２６】
これら第１〜第３厚み部１０〜１２それぞれは、エンボス加工によって、針本体７の表面に突出する凸部１０ａ〜１２ａを針本体７の複数箇所に設けても、これら凸部１０ａ〜１２ａにそれぞれ対応して針本体７の裏面側に開放された凹部１０ｂ〜１２ｂが針本体７の複数箇所に設けられていることにより、針本体７の重量が変わらないように構成されている。
【００２７】
また、第１〜第３厚み部１０〜１２は、これら各表面に表面処理が施されている。すなわち、第１厚み部１０の凸部１０ａにおける開口部１３の縁部に位置する表面（図３では上面）、第２厚み部１１の凸部１１ａの表面（図３では上面）、および第３厚み部１２の凸部１２ａの表面（図３では上面）には、鏡面仕上げ、ヘアーライン加工、梨地加工などの表面処理が施されている。
【００２８】
次に、この腕時計の指針６を製作する場合について説明する。
この場合には、針本体７に針取付部８の取付孔８ａをプレスによる抜き加工によって形成すると共に、第１〜第３厚み部１０〜１２をプレスによるエンボス加工によって形成する。すなわち、第１〜第３厚み部１０〜１２を形成するエンボス加工は、針本体７をその厚み方向に半分打ち抜く半抜き加工である。
【００２９】
このエンボス加工によって針本体７に第１〜第３厚み部１０〜１２を形成した際には、針本体７の表面に突出する第１〜第３厚み部１０〜１２の凸部１０ａ〜１２ａと、針本体７の裏面側に開放された第１〜第３厚み部１０〜１２の凹部１０ｂ〜１２ｂとが、針本体７の複数箇所に、それぞれ針本体７の長手方向に沿って長い長方形状に形成される。
【００３０】
すなわち、第１厚み部１０は、針本体７の先端部７ａ側に位置する箇所に設けられる。第２厚み部１１は、針本体７の先端部７ａ側に位置する第１厚み部１０と針取付部８との間に位置する箇所に設けられる。第３厚み部１２は、針取付部８と針本体７の他端部７ｂとの間に位置する箇所に設けられる。
【００３１】
この場合、第１〜第３厚み部１０〜１２は、各凸部１０ａ〜１２ａと各凹部１０ｂ〜１２ｂとが針本体７の表裏面にそれぞれ対応して設けられる。すなわち、第１〜第３厚み部１０〜１２の各凹部１０ｂ〜１２ｂは、その深さが針本体７の厚みＴとほぼ同じ大きさで、針本体７の長手方向に長い長方形状に形成される。
【００３２】
また、第１〜第３厚み部１０〜１２の各凸部１０ａ〜１２ａは、その厚みｔが針本体７の厚みＴの半分程度の厚みの厚み（ｔ≒1/2Ｔ）で、針本体７の長手方向に長い長方形状に形成される。このため、針本体７は、第１〜第３厚み部１０〜１２が複数箇所に設けられても、針本体７全体の重量が変化しない。
【００３３】
この状態で、第１厚み部１０の凸部１０ａに、凹部１０ｂの内形よりも少し小さい長方形状の開口部１３を、凸部１０ａの表面から凹部１０ｂに貫通させて設ける。これにより、第１厚み部１０には、凸部１０ａの開口部１３と凹部１０ｂとによって、針本体７の表裏面に貫通する収容部１４が設けられる。
【００３４】
この収容部１４は、その深さが針本体７の厚みＴと凸部１０ａの厚みｔとの両方の厚みと同じ大きさで、かつ針本体７に設けられた長方形状の凹部１０ｂと、この凹部１０ｂに対する凸部１０ａに設けられた長方形状の開口部１３とによって、厚みが針本体７の厚みよりも厚く、かつ容積が大きく形成される。
【００３５】
そして、第１厚み部１０の凸部１０ａにおける開口部１３の縁部に位置する表面（図３では上面）、第２厚み部１１の凸部１１ａの表面（図３では上面）、および第３厚み部１２１の凸部１２ａの表面（図３では上面）に、鏡面仕上げ、ヘアーライン加工、梨地加工などの表面処理を施す。
【００３６】
この状態で、第１厚み部１０の収容部１４の内部に、蓄光材１５を埋め込む。このときには、収容部１４の厚みが針本体７の厚みよりも厚く、かつ収容部１４が針本体７の長手方向に長い長方形に形成されているため、収容部１４の容積が大きく形成されている。このため、収容部１４内に埋め込まれた蓄光材１５は、厚みが厚く、かつ体積が大きく形成される。
【００３７】
また、このときには、針本体７が針取付部８よりも先端部７ａ側が他端部７ｂ側よりも長く形成されていても、針本体７の先端部７ａ側の第１厚み部１０に針本体７の表裏面に貫通する収容部１４が設けられ、この収容部１４内に蓄光材１５を設けても、蓄光材１５の比重が針本体の比重よりも軽いので、針本体７の重心が針取付部８の中心に位置する。  
【００３８】
この場合には、針本体７の重量バランスを調整するため、第２、第３厚み部１１、１２の各凹部１１ｂ、１２ｂ内に比重の重い樹脂や金属を埋め込んでも良い。これにより、重量バランスが調整された指針６が形成される。
【００３９】
次に、この指針６の作用について説明する。
この指針６を時計ムーブメント４の指針軸５に取り付ける場合には、針本体７の針取付部８の取付孔８ａに指針軸５の上端部を嵌め込んで嵌着させる。これにより、指針６が時計ムーブメント４の指針軸５に取り付けられる。この状態で、時計ムーブメント４が指針軸５を回転させると、この指針軸５の回転に伴って指針６が文字板３の上方で運針する。これにより、指針６が時刻を指示するので、現在時刻を知ることができる。
【００４０】
この場合には、針本体７が針取付部８よりも先端部７ａ側が他端部７ｂ側よりも長く形成されていても、針本体７の先端部７ａ側の第１厚み部１０に針本体７の表裏面に貫通する収容部１４が設けられ、この収容部１４内に蓄光材１５を設けても、蓄光材１５の比重が針本体の比重よりも軽いので、針本体７の重心が針取付部８の中心に位置する。
【００４１】
また、この場合には、第２、第３厚み部１１、１２の各凹部１１ｂ、１２ｂ内に比重の重い樹脂や金属を埋め込んで、針本体７の重量バランスを調整するようにしても良い。これにより、針本体７が指針軸５の回転に伴って運針する際には、針取付部８を中心として針本体７がバランス良く回転するので、電池寿命を延ばすことができる。
【００４２】
また、このときには、外部光が指針６の蓄光材１５に照射されると、蓄光材１５が外部光を光エネルギーとして蓄える。この場合、針本体７の収容部１４に埋め込まれた蓄光材１５は、厚みが厚く、かつ体積が大きいので、光エネルギーが十分に蓄えられる。また、この腕時計を暗い所で使用する際には、針本体７の収容部１４に埋め込まれた蓄光材１５が高い輝度で発光する。
【００４３】
すなわち、収容部１４に埋め込まれた蓄光材１５は、厚みが厚く、かつ体積（容量）が大きいので、発光した際に輝度が高くなると共に、長時間に亘って発光する。このように蓄光材１５が発光した際には、その発光した光が針本体７の表面側と裏面側とに放出される。このため、針本体７の表面および文字板３の表面を明るく照明することができると共に、長時間に亘って照明することができるので、指針６が指示している時刻を良好に視認することができる。
【００４４】
このように、この腕時計の指針６によれば、針本体７に当該針本体７の厚みＴよりも厚く形成された第１厚み部１０と、この第１厚み部１０にその表裏に貫通して設けられた収容部１４と、この収容部１４内に設けられた蓄光材１５と、を備えていることにより、蓄光材１５の高輝度化を図ることができると共に、蓄光材１５の発光時間を延ばすことができる。
【００４５】
すなわち、この指針６では、第１厚み部１０が針本体７の厚みＴよりも厚く形成され、この第１厚み部１０に収容部１４を針本体７の表裏面に貫通させて設けているので、収容部１４を針本体７の厚みＴよりも深く形成して容積を大きく形成することができる。このため、収容部１４内に設けられた蓄光材１５の厚みを厚くして、蓄光材１５の体積を大きくすることができるので、蓄光材１５の高輝度化を図ることができると共に、蓄光材１５の発光時間を大幅に延ばすことができる。
【００４６】
この場合、第１厚み部１０は、針本体７の表面に突出する凸部１０ａと、この凸部１０ａに対応する針本体７の裏面に設けられた凹部１０ｂと、を備えていることにより、針本体７に第１厚み部１０を設けても、針本体７全体の重量が変化しないようにことができる。また、収容部１４は、凸部１０ａに設けられた開口部１３と凹部１０ｂとによって第１厚み部１０の表裏面に貫通して設けられていることにより、収容部１４を針本体７の厚みＴよりも深く形成し、かつ収容部１４の容積を大きく形成することができる。
【００４７】
このため、この指針６では、収容部１４内に埋め込まれる蓄光材１５の厚みを針本体７の厚みＴよりも十分に厚く形成することができ、これにより蓄光材１５の体積を大きく形成することができるので、蓄光材１５を高い輝度で発光させることができ、かつ蓄光材１５の発光時間を大幅に延ばすことができると共に、収容部１４内に蓄光材１５を埋め込んでも、針本体７の重量が増えないようにすることができる。
【００４８】
この場合、第１厚み部１０は、針本体７の表面に突出する凸部１０ａが針本体７の長手方向に長い長方形状に形成され、針本体７の裏面に設けられた凹部１０ｂが凸部１０ａの外形よりも少し小さい長方形状に形成され、凸部１０ａに設けられた開口部１３が凹部１０ｂの外形よりも少し小さい長方形状に形成されていることにより、収容部１４を針本体７の長手方向に長い長方形状に形成することができる。
【００４９】
これにより、収容部１４の容積を大幅に大きくすることができるので、収容部１４内に設けられた蓄光材１５の体積を、より一層、大きくすることができ、これにより蓄光材１５を更に高い輝度で発光させることができると共に、蓄光材１５の発光時間を大幅に延ばすことができる。
【００５０】
また、この指針６では、第１厚み部１０が針本体７をその厚み方向に半分打ち抜くエンボス加工である半抜き加工によって形成されていることにより、第１厚み部１０を針本体７に簡単にかつ容易に形成することができると共に、針本体７に第１厚み部１０を設けても、針本体７の重量を変えないようにすることができる。
【００５１】
この場合、第１厚み部１０は、エンボス加工である半抜き加工によって凸部１０ａの外周を凹部１０ｂの内周よりも少し大きく形成し、凹部１０ｂの深さを針本体７の厚みＴとほぼ同じ大きさに形成し、凸部１０ａを針本体７の厚みＴの半分程度の厚み（約1/2Ｔ）の厚み（ｔ≒1/2Ｔ）に形成することができる。
【００５２】
また、この指針６では、針本体７の複数箇所に第１〜第３厚み部１０〜１２が設けられていることにより、これら第１〜第３厚み部１０〜１２によって指針６全体のデザイン性を向上させることができる。この場合、第１〜第３厚み部１０〜１２は、裏面側に開放された凹部１０ｂ〜１２ｂが設けられていることにより、針本体７に第１〜第３厚み部１０〜１２を設けても、針本体７の重量が増えないようにすることができる。
【００５３】
また、この指針６では、針本体７が針取付部８よりも先端部７ａ側が他端部７ｂ側よりも長く形成されていても、針本体７の先端部７ａ側の第１厚み部１０に針本体７の表裏面に貫通する収容部１４が設けられ、この収容部１４内に蓄光材１５を設けても、蓄光材１５の比重が針本体の比重よりも軽いので、針本体７の重心を針取付部８の中心に位置させることができる。このため、針本体７が指針軸５の回転に伴って運針する際に、針取付部８を中心として針本体７をバランス良く回転させることができ、これにより電池寿命を延ばすことができる。
【００５４】
さらに、この指針６では、第１〜第３厚み部１０〜１２の表面に表面処理が施されていることにより、指針６のデザイン性を更に向上させることができる。すなわち、第１厚み部１０の凸部１０ａにおける開口部１３の縁部に位置する表面、第２厚み部１１の凸部１１ａの表面、および第３厚み部１２１の凸部１２ａの表面に、鏡面仕上げ、ヘアーライン加工、梨地加工などの表面処理を施すことにより、指針６のデザイン性を更に高めることができる。
【００５５】
なお、上述した実施形態では、針本体７に第１〜第３厚み部１０〜１２をプレスによるエンボス加工によって形成した場合について述べたが、この発明は、これに限らず、例えば切削加工によって第１〜第３厚み部１０〜１２を削り出しても良く、またレーザ加工によって第１〜第３厚み部１０〜１２を削り出しても良い。また、ランス曲げ加工によって第１厚み部１０を形成しても良い。平行にスリット（ランス）を入れた後に絞り加工して形成すれば良い。
【００５６】
また、上述した実施形態では、指針式の腕時計に適用した場合について述べたが、この発明は、必ずしも腕時計である必要はなく、例えばトラベルウオッチ、目覚まし時計、置き時計、掛け時計などの各種の指針式の時計に適用することができる。また、この発明は、必ずしも時計である必要はなく、例えばメータなどの計器類にも適用することができる。
【００５７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５８】
（付記）
請求項１に記載の発明は、針本体に当該針本体の厚みよりも厚く形成された厚み部と、前記厚み部にその表裏に貫通して設けられた収容部と、前記収容部に設けられた蓄光材と、を備えていることを特徴とする指針である。
【００５９】
請求項２に記載の発明は、請求項１に記載の指針において、前記厚み部は、前記針本体の表面に突出する凸部と、前記凸部に対応する前記針本体の裏面に設けられた凹部と、を備えており、前記収容部は、前記凸部に設けられた開口部と前記凹部とによって前記厚み部の表裏面に貫通して設けられていることを特徴とする指針である。
【００６０】
請求項３に記載の発明は、請求項１または請求項２に記載の指針において、前記厚み部は、前記針本体を厚み方向に半分打ち抜く半抜き加工によって形成されていることを特徴とする指針である。
【００６１】
請求項４に記載の発明は、請求項１〜請求項３のいずれかに記載の指針において、前記厚み部は、前記針本体の複数箇所に設けられていることを特徴とする指針である。
【００６２】
請求項５に記載の発明は、請求項１〜請求項４のいずれかに記載の指針において、前記複数の厚み部は、その表面に表面処理が施されていることを特徴とする指針である。
【００６３】
請求項６に記載の発明は、請求項１〜請求項５のいずれかに記載された指針を備えていることを特徴とする時計である。
【符号の説明】
【００６４】
１  時計モジュール
２  ハウジング
３  文字板
３ａ  貫通孔
４  時計ムーブメント
５  指針軸
６  指針
７  針本体
８  針取付部
８ａ  取付孔
１０〜１２  第１〜第３厚み部
１０ａ〜１２ａ  凸部
１０ｂ〜１２ｂ  凹部
１３  開口部
１４  収容部
１５  蓄光材
【図１】
2019045348.tif 000003
【図２】
2019045348.tif 000004
【図３】
2019045348.tif 000005
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
針本体に当該針本体の厚みよりも厚く形成された厚み部と、
前記厚み部にその表裏に貫通して設けられた収容部と、
前記収容部に設けられた蓄光材と、
を備えていることを特徴とする指針。
【請求項２】
請求項１に記載の指針において、前記厚み部は、開口部を備え、
前記厚み部は、前記針本体の先端側に形成されていることを特徴とする指針。
【請求項３】
請求項１または請求項２に記載の指針において、前記厚み部は、前記針本体の表面に突出する凸部と、前記凸部に対応する前記針本体の裏面に設けられた凹部と、を備えており、
前記収容部は、前記凸部に設けられた開口部と前記凹部とによって前記厚み部の表裏面に貫通して設けられていることを特徴とする指針。
【請求項４】
請求項１〜請求項３のいずれかに記載の指針において、前記蓄光部材は、第１蓄光部と第２蓄光部とを備え、平面視において、第２蓄光部の面積は、第１蓄光部の面積よりも大きいことを特徴とする指針。
【請求項５】
請求項１〜請求項４のいずれかに記載の指針において、前記厚み部は、前記針本体を厚み方向に半分打ち抜く半抜き加工によって形成されていることを特徴とする指針。
【請求項６】
請求項１〜請求項５のいずれかに記載の指針において、前記厚み部は、前記針本体の複数箇所に設けられていることを特徴とする指針。
【請求項７】
請求項１〜請求項６のいずれかに記載の指針において、前記厚み部は、前記針本体の長手方向に沿って直線上に設けられていることを特徴とする指針。
【請求項８】
請求項１〜請求項７のいずれかに記載の指針において、前記複数の厚み部は、その表面に表面処理が施されていることを特徴とする指針。
【請求項９】
請求項１〜請求項８のいずれかに記載された指針を備えていることを特徴とする時計。